(57)【特許請求の範囲】
【請求項１】
釣り竿に装着可能であり釣り糸を前方に繰り出し可能な片軸受リールであって、
糸巻用の糸巻胴部と、前記糸巻胴部の一端に設けられ前記糸巻胴部より大径の第１フランジ部と、前記糸巻胴部の他端に設けられ前記糸巻胴部より大径の第２フランジ部と、を有するスプールと、
前記スプールを回転自在に支持するスプール軸と、
前記第１フランジ部に対向して配置され前記スプール軸を支持する円形のフレームと、前記フレームに固定され前記釣り竿を装着可能な竿装着部と、を有し、前記フレームの外径が前記第１フランジ部の外径より小さいリール本体と、を備え、
前記フレームは、
円形のフレーム本体と、
前記第１フランジ部より前記スプール軸の軸方向外側に配置される外側面と、
少なくとも一部が前記第１フランジ部より前記軸方向内側に配置される外周面と、
前記外周面から前記外側面に向かって徐々に縮径する糸案内面と、
前記フレーム本体の外側面から前記スプール軸に対して偏芯した位置を中心として円形に突出するように設けられた固定凸部と、
を有し、
前記竿装着部は、
前記フレームに固定される固定部と、
前記固定部から前記フレームの外方に延びた後に湾曲して前記スプールの径方向外方に配置されるアーム部と、
前記アーム部の先端に前後方向に配置され前記釣り竿に装着可能な装着脚部と、
を有し、
前記固定部は、前記固定凸部の外周面に嵌合する内周面を有する、
片軸受リール。
【請求項２】
前記固定部は、前記装着脚部と前記フレームとの隙間を変更可能に前記フレームに固定される、請求項１に記載の片軸受リール。
【請求項３】
前記アーム部の前後方向の長さは、５ｍｍ以上２０ｍｍ以下であり、
前記装着脚部は、前記フレームとの間に前記釣り竿を持つ手の指を挿入可能に配置される、
請求項１又は２に記載の片軸受リール。
【請求項４】
前記第１フランジ部は、少なくとも外周部に前記軸方向外側に突出する少なくとも１つの第１環状突起を有し、
前記フレームは、少なくとも前記外周面に前記第１環状突起と前記軸方向に重なり合うように前記第１フランジ部側に突出して形成される少なくとも１つの第２環状突起を有する、請求項１から３のいずれか１項に記載の片軸受リール。
【請求項５】
前記第１環状突起は、前記第２環状突起を挟んで前記第１フランジ部の径方向に間隔を隔てて２つ設けられている、請求項１から３のいずれか１項に記載の片軸受リール。
【請求項６】
前記第２環状突起は、前記第１フランジ部より軸方向外側で前記糸案内面に連なっている、請求項４又は５に記載の片軸受リール。
【請求項７】
前記第２環状突起が形成された前記外周面は、前記第１環状突起の前記軸方向内側から外側に配置される円周面であり、
前記糸案内面は、前記外周面から前記外側面に向かって形成されている、
請求項６に記載の片軸受リール。
【発明の詳細な説明】
【技術分野】
【０００１】
本発明は、釣り用リール、特に、釣り竿に装着可能な片軸受リールに関する。
【背景技術】
【０００２】
スプール軸がリール本体に片持ち支持される片軸受リールは、リール本体と、リール本体に片持ち支持されたスプール軸と、スプール軸に回転自在に装着されたスプールと、を備えている。リール本体は、円板形状のフレームと、フレームに固定された竿装着部と、を有している。
【０００３】
このような片軸受リールにおいて、スプールに手を接触させてフレームを制動する操作を行いやすくするために、フレームの外径をスプールの外径より小さくしたものが従来知られている（例えば、特許文献１参照）。
【０００４】
従来の片軸受リールは、竿装着部はフレームの中心に固定される固定部と、固定部から径方向に延びるアーム部と、アーム部らか折れ曲がってスプールの径方向外方に配置される装着脚部と、を有している。スプールは、周方向に間隔を隔てて配置された複数の棒状部材を有する糸巻部と、糸巻部の両端に配置された１対のフランジ部とを有している。フランジ部の外側面は凹んで形成され、その凹んだ部分にフレームが入り込んでいる。したがって、フレームの外径はフランジ部の外径より小さい。また、フレームはフランジ部より軸方向内側に配置され、フランジ部の凹んだ部分にフランジ部から突出しないようになっている。これにより、糸巻部に巻き付けられた釣り糸がフランジ部から落ちても、フレームに接触しなくなり、釣り糸がフランジ部とフレームとの隙間に入り込む糸噛みが生じにくくなる。
【先行技術文献】
【特許文献】
【０００５】
【特許文献１】実用明細３６３３６５号公報
【発明の概要】
【発明が解決しようとする課題】
【０００６】
前記従来の構成では、フランジ部から釣り糸が落ちてもフレームとフランジ部との隙間に入る糸噛みは防止できる。しかし、フランジ部から落ちた釣り糸は、竿装着部のアーム部とフレームとの隙間に急速に移動し、隙間にきつく入り込む噛み込みが生じるおそれがある。
【０００７】
本発明の課題は、フランジ部より小径のフレームを有する片軸受リールにおいて、釣り糸がフランジ部から落ちてもフレームと竿装着部との間に噛み込みにくくすることにある。
【課題を解決するための手段】
【０００８】
発明１に係る片軸受リールは、釣り竿に装着可能であり釣り糸を前方に繰り出し可能なリールであって、スプールと、スプール軸と、リール本体と、を備えている。スプールは、糸巻用の糸巻胴部と、糸巻胴部の一端に設けられ糸巻胴部より大径の第１フランジ部と、糸巻胴部の他端に設けられ糸巻胴部より大径の第２フランジ部と、を有している。スプール軸は、スプールを回転自在に支持する。リール本体は、第１フランジ部に対向して配置されスプール軸を支持する円形のフレームと、フレームに固定され釣り竿を装着可能な竿装着部と、を有している。フレームの外径は、第１フランジ部の外径より小さい。円形のフレームは、外側面と、外周面と、糸案内面と、を有している。外側面は、第１フランジ部よりスプール軸の軸方向外側に配置される。外周面は、少なくとも一部が第１フランジ部より軸方向内側に配置される。糸案内面は、外周面から外側面に向かって徐々に縮径する。
【０００９】
この片軸受リールでは、フレームの外径がスプールの第１フランジ部より小さい。フレームは、第１フランジ部より軸方向内側に少なくとも一部が配置された外周面と、軸方向外側に配置される外側面と、外周面から外側面に向かって徐々に縮径する糸案内面とを有している。このため、スプールに巻き付けられた釣り糸が第１フランジ部から落ちると、フレームの外周面又は糸案内面に釣り糸が接触し、さらに糸案内面に接触しながら外側面に案内される。ここでは、第１フランジ部から釣り糸が落ちても、落ちた釣り糸は、フレームの外周面又は糸案内面に接触しさらに糸案内面に接触しながら外側面に案内される。このため、これらの接触により釣り糸は減速されて竿装着部とフレームとの間に移動する。したがって、釣り糸が第１フランジ部から落ちてもフレームと竿装着部との間に噛み込みにくくなる。
【００１０】
発明２に係る片軸受リールは、発明１に記載のリールにおいて、第１フランジ部は、少なくとも外周部に軸方向に突出する少なくとも１つの第１環状突起を有し、フレームは、少なくとも外周面に第１環状突起とスプール軸の軸方向に重なり合うように第１フランジ部側に突出して形成される少なくとも１つの第２環状突起を有する。
【００１１】
この場合には、スプールに巻き付けられる釣り糸が第１フランジ部から落ちても、第１フランジ部の第１環状突起と軸方向に重なり合うフレームの第２環状突起又は糸案内面に接触し、糸案内面から外側面に案内される。このため、第１フランジ部をフレームより大径にしても、釣り糸がフレームと第１フランジ部との隙間からスプール内部に侵入する糸噛みが生じにくくなる。しかも、第１フランジ部側に突出する第２環状突起が第１環状突起に軸方向に重なって配置されているので、第２環状突起又は糸案内面に確実に釣り糸が接触し減速される。このため、フレームと竿装着部との間の噛み込みをさらに減少できる。
【００１２】
発明３に係る片軸受リールは、発明２に記載のリールにおいて、第１環状突起は、第２環状突起を挟んで第１フランジ部の径方向に間隔を隔てて２つ設けられている。この場合には、スプールとフレームとで軸方向に重なり合う部分が増えるので、スプール内部に侵入する糸噛みをさらに防止できる。
【００１３】
発明４に係る片軸受リールは、発明２又は３に記載のリールにおいて、第２環状突起は、第１フランジ部より軸方向外側で糸案内面に連なっている。この場合には、第２環状突起が第１フランジ部より軸方向外側で糸案内面に連なっているので、第１フランジ部から落ちる釣り糸が第２環状突起に落ちる可能性が高くなり、糸案内面に案内されるまでに釣り糸が確実に減速される。
【００１４】
発明５に係る片軸受リールは、発明４に記載のリールにおいて、第２環状突起が形成された外周面は、第１環状突起の軸方向内側から外側に配置される円周面であり、糸案内面は、外周面から外側面に向かって形成されている。この場合には、円周面で構成された外周面が第１フランジ部より軸方向外方に突出するので、第１フランジ部から落ちた釣り糸が縮径しない外周面に落ちる可能性が高くなり、さらに糸案内面に案内されるまでに確実に減速される。
【００１５】
発明６に係る片軸受リールは、発明１から５のいずれかに記載のリールにおいて、竿装着部は、固定部と、アーム部と、装着脚部と、を有している。固定部は、フレームに固定される。アーム部は、固定部からフレームの外方に延びた後に湾曲してスプールの径方向外方に配置される。装着脚部は、アーム部の先端に前後方向に配置され釣り竿に装着可能である。アーム部の前後方向の長さは、５ｍｍ以上２０ｍｍ以下であり、装着脚部は、フレームとの間に釣り竿を持つ手の指を挿入可能に配置される。
【００１６】
この場合には、アーム部の前後方向の長さ、すなわち幅が狭く、かつフレームと装着脚部との間に指を挿入可能であるので、スピニングリールのように、アーム部を、例えば人差し指と中指等の指で挟んで装着脚部を釣り竿とともに握って片軸受リールを保持することができる。
【００１７】
発明７に係る片軸受リールは、発明６に記載のリールにおいて、固定部は、装着脚部とフレームとの隙間を変更可能にフレームに固定される。この場合には、装着脚部をフレームから離してフレームとの間に指を挿入してリールを保持することができるとともに、装着脚部をフレームに近づけて指によるブレーキ操作を行いやすくすることもできる。
【００１８】
発明８に係る片軸受リールは、発明７に記載のリールにおいて、フレームは、円形のフレーム本体と、フレーム本体の外側面からスプール軸に対して偏芯した位置を中心として円形に突出するように設けられた固定凸部と、を有し、固定部は、前記固定凸部の外周面に嵌合する内周面を有する。
【００１９】
この場合には、スプール軸に対して偏芯した固定凸部の周方向の複数の固定位置のいずれかで固定部をフレームに固定することにより、スプール軸と竿装着部との距離を容易に変更できる。
【発明の効果】
【００２０】
本発明によれば、第１フランジ部から釣り糸が落ちても、落ちた釣り糸は、フレームの外周面又は糸案内面に接触しさらに糸案内面に接触しながら外側面に案内される。このため、これらの接触により釣り糸は減速されて竿装着部とフレームとの間に移動する。したがって、釣り糸が第１フランジ部から落ちてもフレームと竿装着部との間に噛み込みにくくなる。
【図面の簡単な説明】
【００２１】
【図１】本発明の一実施形態による片軸受リールの正面図。
【図２】その背面図。
【図３】図２のIII−III断面図。
【図４】第１フランジ部とフレームの外周側の断面部分図。
【図５】竿装着部の複数の装着位置を示す図。
【図６】第２実施形態の図２に相当する図。
【図７】第２実施形態の図３に相当する図。
【図８】第２実施形態の図４に相当する図。
【発明を実施するための形態】
【００２２】
＜第１実施形態＞
図１、図２及び図３において、本発明の第１実施形態による片軸受リールは、リール本体１と、リール本体１に片持ち支持されたスプール軸２と、スプール軸２に対して回転自在に装着され外周に釣り糸が巻かれるスプール３と、を備えている。
【００２３】
＜リール本体の構成＞
リール本体１は、スプール軸２を支持する円形のフレーム１０と、フレーム１０に着脱可能に固定される釣り竿ＲＤ装着用の竿装着部１２と、を有している。フレーム１０は、スプール軸２が片持ち支持される支持孔１０ａを有している。フレーム１０は、例えばアルミニウム合金等の金属製の円板状のフレーム本体１３と、フレーム本体１３に設けられた、例えばアルミニウム合金等の金属製又は合成樹脂製の固定凸部１４と、を有している。
【００２４】
フレーム本体１３は、アルミニウム合金製の薄板をプレス加工により形成した縁付き円板形状の部材である。フレーム本体１３は、スプール３より小径の円形の部材である。フレーム本体１３は、スプール３の後述する第１環状突起３６ｃよりスプール軸２の軸方向外側（図３右側）に配置される外側面１０ｄを有している。フレーム本体１３の外周部は、図４に示すように、スプール３の第１第１フランジ部３６ａ側に向かって突出するように湾曲している。フレーム本体１３は、先端の外周面１０ｇに、第１フランジ部３６ａ側に突出して形成された第２環状突起１０ｅを有している。第２環状突起１０ｅが形成された外周面１０ｇは、第１環状突起３６ｃのスプール軸方向外側（図４右側）から内側（図４左側）に配置される円周面である。すなわち、第１実施形態では、円周面である外周面１０ｇの基端は、後述する第１環状突起３６ｃの先端より軸方向外側に配置され、外周面１０ｇの先端は、第１環状突起３６ｃの先端より軸方向内側に配置されている。フレーム本体１３の外周面１０ｇの基端に連なって第１環状突起３６ｃの外側に配置される外側面１０ｄに向かって湾曲して徐々に縮径する面は、スプール３から落ちた釣り糸を外側面１０ｄに案内する糸案内面１０ｆを構成している。第１実施形態では、糸案内面１０ｆは、断面視円弧形状のフィレット形状の曲面１０ｈと断面視直線状のテーパ面１０ｉとで形成されている。曲面１０ｈは、縮径割合が徐々に大きくなっている。また、テーパ面１０ｉは、縮径割合が同じである。このテーパ面１０ｉが内周側の第１環状突起３６ｃの形成位置と実質的に同じ径方向位置で竿装着部１２のアーム部２２の内側面２２ａに接触している。なお、糸案内面１０ｆの縮径割合は、徐々に小さくなってもよいし、徐々に大きくなってもよいし、一定でもよい。また、それらを組み合わせてもよい。
【００２５】
このような構成の糸案内面１０ｆを形成することにより、糸案内面１０ｆに釣り竿ＲＤを持つ手の指を置くことができる。このため、糸案内面１０ｆ置いた指を第１フランジ部３６ａに滑らせるだけで指によるブレーキ操作を行え、第１フランジ部３６ａに滑らせた指を糸案内面１０ｆに戻すだけで、指によるブレーキ操作を解除できる。このため、指によるブレーキ操作及び解除操作を迅速かつ安定して行える。もし、フレーム本体１３の外側面１０ｄが第１環状突起３６ｃの軸方向内側にあり、第１フランジ部３６ａより突出した糸案内面１０ｆがない場合、指を置く場所がなくなる。このため、ブレーキを解除する際には、指を第１フランジ部から離して浮かせなければならならず、指によるブレーキ操作及び解除操作を迅速かつ安定して行いにくい。
【００２６】
図３に示すように、フレーム本体１３のスプール軸芯Ｃ１から偏芯した軸芯Ｃ２には、固定凸部１４が装着される装着孔１３ａが形成されている。また、フレーム本体１３の装着孔１３ａの径方向外方には、周方向に間隔を隔てて形成された複数（例えば８個）の通過孔１３ｂが形成されている。
【００２７】
固定凸部１４は、フレーム本体１３の内側面１３ｃに配置され、装着孔１３ａより大径の装着部１４ｂと、装着部１４ｂから装着孔１３ａを貫通してフレーム本体１３の外側面１０ｄから円形に突出する突出部１４ｃと、を有している。固定凸部１４には、フレーム１０の中心に位置する軸芯Ｃ１に沿って前述した支持孔１０ａが形成されたボス部１０ｂがスプール軸２の先端側に向かって突出して形成されている。固定凸部１４は、第１実施形態では、フレーム本体１３と別体で形成しているが、フレーム本体１３と一体で形成してもよい。突出部１４ｃの先端には、軸芯Ｃ２を中心とする円形の開口１４ｄが形成されている。開口１４ｄは、固定ボルト２６をねじ込むためと軽量化のために形成されている。開口１４ｄは、図示しない銘版により塞がれている。
【００２８】
固定凸部１４の装着部１４ｂは、図２及び図３に示すように、突出部１４ｃの径方向外方に周方向に間隔を隔てて配置された複数の雌ねじ部１８を有している。雌ねじ部１８は、竿装着部１２をフレーム１０に固定するためのボルト部材１６がねじ込まれるねじ孔である。雌ねじ部１８は、軸方向に沿って形成されている。ボルト部材１６は、例えば、皿頭ボルトであり、第１実施形態では、４本のボルト部材１６で竿装着部１２を固定している。ボルト部材１６は、竿装着部１２をフレーム１０に固定するとともに、竿装着部１２と装着部１４ｂとに挟まれたフレーム本体１３を固定凸部１４に固定する。
【００２９】
竿装着部１２は、例えば、アルミニウム合金等の金属製又はガラス短繊維を含浸させたポリアミド樹脂等の合成樹脂製の部材である。竿装着部１２は、スプール軸２との距離が異なる複数の固定位置のいずれかでフレーム１０に固定可能な固定部２０と、アーム部２２と、装着脚部２４と、を有している。固定部２０は、固定凸部１４の外周面１４ａに嵌合する内周面２０ｂを有するリング形状である。固定部２０は、周方向に間隔を隔てて配置された複数の固定孔２０ａを有している。固定孔２０ａは、雌ねじ部１８に対向可能にスプール軸２の軸方向に沿って形成されている。
【００３０】
雌ねじ部１８の数は、固定孔２０ａの数より多いのが好ましい。これは、雌ねじ部を少なくして固定孔を多くすると、固定に使用しない固定孔が固定部の表面に露出するからである。第１実施形態では、雌ねじ部１８の数は８個であり、固定孔２０ａの数は４個である。このように、雌ねじ部１８を固定孔２０ａより多くすると、使用しない雌ねじ部１８は、固定部２０により覆われ外部に露出しない。第１実施形態では、図５に示すように、４本のボルト部材１６を用いて、周方向の８つの固定位置Ｆ１−Ｆ８のいずれか一つで竿装着部１２をフレーム１０に固定できる。
【００３１】
アーム部２２は、図２及び図３に示すように、固定部２０と一体形成されている。アーム部２２は、固定部２０からフレーム１０の径方向外方に延びた後に湾曲してスプール３の径方向外方に配置されている。アーム部２２の前後方向（図２左右方向）の長さＬは、５ｍｍ以上２０ｍｍ以下であり、好ましくは、５ｍｍ以上１５ｍｍ以下である。このようにアーム部２２の前後方向の長さ（幅）Ｌが短くなると、釣り竿ＲＤを持つ手の２本の指でアーム部２２を挟んで片軸受リールを保持することができる。アーム部２２は、固定部２０との連結部分から徐々に厚みが厚くなり、湾曲部分の手前側で最大の厚みとなる。
【００３２】
装着脚部２４は、アーム部２２と一体形成されている。装着脚部２４は、アーム部２２の先端に前後方向に配置され釣り竿ＲＤに装着可能である。したがって、装着脚部２４は、上面に釣り竿ＲＤに接触可能な断面視円弧状の装着面２４ａを有している。
【００３３】
このような構成のリール本体１では、スプール軸２の軸芯Ｃ１と偏芯した位置を中心Ｃ２として円形に突出する固定凸部１４の外周面に嵌合する竿装着部１２をフレーム１０に固定している。このため、図５に示すように、竿装着部１２の周方向の８つの固定位置Ｆ１−Ｆ８で、竿装着部１２の装着面２４ａとスプール軸２の軸芯Ｃ１との距離Ｄ１−Ｄ８が異なる。具体的には、固定位置Ｆ１から固定位置Ｆ５に向けて距離Ｄ１−Ｄ５が徐々に大きくなり、固定位置Ｆ５から固定位置Ｆ１に向けて距離Ｄ５−Ｄ１が徐々に小さくなる。このため、８つの固定位置Ｆ１−Ｆ８のいずれかひとつで竿装着部１２をフレーム１０に固定することにより、竿装着部１２スプール軸２との距離、すなわち、竿装着部１２の径方向位置を変更することができる。また同時に、８つの固定位置Ｆ１−Ｆ８で、スプール軸２の軸芯Ｃ１と、竿装着部１２の前後方向の中心位置Ｃ３との距離Ｓ１−Ｓ８が異なる。したがって、スプール軸に対する竿装着部１２の前後位置も変更できる。なお、距離Ｓ１と距離Ｓ５は、「０」のため、図５には図示していない。したがって、竿装着部１２を前後位置と径方向位置との組み合わせが異なる８つの固定位置Ｆ１−Ｆ８のいずれかに固定できる。
【００３４】
＜スプール軸の構成＞
スプール軸２は、図３に示すように、その基端の小径部２ａがフレーム１０の固定凸部１４に形成された支持孔１０ａに嵌合している。スプール軸２は、基端面にねじ込まれた固定ボルト２６によりフレーム１０の固定凸部１４に固定されている。スプール軸２の先端には、第１環状溝２ｂと、第１環状溝２ｂより大径で先端が先細りの頭部２ｃとが形成されている。第１環状溝２ｂに隣接してブッシュ２１が装着されるブッシュ装着部２ｄが形成されている。また、ブッシュ装着部２ｄの基端側は、ブッシュ装着部２ｄより大径に形成され、そこには、第２環状溝２ｅが形成されている。
【００３５】
＜スプールの構成＞
スプール３は、図３に示すように、ワンタッチ着脱機構６により、スプール軸２に対してワンタッチで着脱できる。スプール３は、スプール軸２に回転自在に支持される糸巻胴部３５と、第１フランジ部３６ａ及び第２フランジ部３６ｂと、を有しており、これらは一体形成されている。これらが別体で構成されていてもよい。
【００３６】
糸巻胴部３５は、外周面に釣り糸が巻付可能な筒状の糸巻部３５ａと、糸巻部３５ａの内周側でスプール軸２に回転自在に支持される支持筒部３７と、糸巻部３５ａと支持筒部３７とを連結する円板状の連結部３８と、を有している。支持筒部３７は、スプール軸２が貫通可能な貫通孔３７ａを有する筒状の部材であり、先端側はワンタッチ着脱機構６を構成する蓋部材３１で塞がれている。貫通孔３７ａとスプール軸２との間には、スプール３をスプール軸２に回転自在に支持するための第１軸受４０及び第２軸受４２が軸方向に間隔を隔てて装着されている。第２軸受４２は、第２環状溝２ｅに装着された抜け止め部材４３により位置決めされる。
【００３７】
連結部３８は、糸巻部３５ａと支持筒部３７とを連結する円板状のものである。連結部３８にはスプール３を回転させるためのハンドル把手４４と、ハンドル把手４４の１８０度周方向に間隔を隔てて配置されたバランスウェイト４６とが装着されている。
【００３８】
第１フランジ部３６ａは、糸巻胴部３５の一端部に糸巻胴部３５と一体で形成された円盤状のものである。第１フランジ部３６ａはリール本体１のフレーム１０と対向するように形成されている。第１フランジ部３６ａの外径は、フレーム１０の外径より大きい。
【００３９】
図４に示すように、第１フランジ部３６ａの外周側の外側面には、径方向に間隔を隔ててフレーム１０に向けて軸方向外方に突出する２つの第１環状突起３６ｃが形成されている。外周側の第１環状突起３６ｃは、外周部において第２環状突起１０ｅの径方向外方に配置され、スプール軸２の軸方向に重なり合うように軸方向外側、すなわちフレーム１０に向けて突出している。内周側の第１環状突起３６ｃは、第２環状突起１０ｅの内周側に配置され、第２環状突起１０ｅに軸方向に重なり合うように突出している。
【００４０】
図３に示すように、第２フランジ部３６ｂは、糸巻胴部３５の他端部にリール本体１の開放部を覆うように一体で形成されたものである。第１実施形態では、第２フランジ部３６ｂは、第１フランジ部３６ａと同径に形成されている。しかし、第２フランジ部３６ｂを第１フランジ部３６ａと異なる径にしてもよい。例えば、第２フランジ部３６ｂを第１フランジ部３６ａより小径にしてもよい。
【００４１】
＜ワンタッチ着脱機構の構成＞
ワンタッチ着脱機構６は、図３に示すように、スプール軸２の第１環状溝２ｂに係止される弾性線材製のバネ部材３０と、バネ部材３０を抜け止めするために支持筒部３７の先端にねじ込み固定された蓋部材３１と、蓋部材３１に軸方向移動自在に装着されたプッシュボタン３２と、バネ部材３０を蓋部材３１との間に配置するためのブッシュ２１とを有している。ブッシュ２１は、プッシュボタン３２の周方向位置を規制する。
【００４２】
バネ部材３０は、スプール３をスプール軸２に軸方向移動不能に装着するためのバネである。また、バネ部材３０は、プッシュボタン３２を前方（図３左方）へ付勢する機能も有している。バネ部材３０は、弾性線材を折り曲げて形成されたものであり、変形したときに前方への付勢力が生じるようになっている。
【００４３】
このような構成のワンタッチ着脱機構６では、プッシュボタン３２を押圧すると、バネ部材３０が第１環状溝２ｂから外れてスプール３をスプール軸２から外せるようになる。また、スプール３をスプール軸２に装着するとバネ部材３０が広がった後に第１環状溝２ｂに係止されてスプール軸２に抜け止めされた状態で装着される。
【００４４】
次に、竿装着部１２の固定方法について説明する。
【００４５】
例えば、女性等の指の短い人は、図５において、固定位置Ｆ１で竿装着部１２をフレーム１０に装着する。また、すると、釣り竿ＲＤを持つ手の人差し指又は中指がスプール３に近くなり、スプール３を指によるブレーキ操作を行いやすくなる。また、指の長い人は、例えば、固定位置Ｆ２−Ｆ８のいずれかを使用する。固定位置Ｆ２−Ｆ４では、スプール軸２の軸芯Ｃ１が竿装着部１２の中心Ｃ３より前方に移動する。また、固定位置Ｆ６−Ｆ８では、スプール軸２の軸芯Ｃ１が竿装着部１２の中心Ｃ３より後方に移動する。
【００４６】
一方、片軸受リールをスピニングリールのように竿装着部１２のアーム部２２を挟んで保持することもできる。この場合、固定位置Ｆ３−Ｆ７を使用するのが好ましい。すると装着脚部２４とフレーム１０との隙間が大きくなり、その間に指を通せるようになる。このため、例えば、人差し指と中指の間にアーム部２２を挟んで曲げて、釣り竿ＲＤとともに装着脚部２４を握ることができる。このような場合でも、指の長短により固定位置を変更することにより、指によるブレーキ操作を行いやすくなる。
【００４７】
釣りを行っているときに、第１フランジ部３６ａから釣り糸がフレーム本体１３側に落ちると、落ちた釣り糸は、第２環状突起１０ｅの外周面１０ｇに接触する。この結果、釣り糸が減速して糸案内面１０ｆに接触して移動し、竿装着部１２のアーム２２の内側面２２ａと糸案内面１０ｆとの間に落ちる。しかし、そこに至るまでに外周面１０ｇ及び糸案内面１０ｆに接触して減速するため、内側面２２ａと糸案内面１０ｆとの間に噛み込みにくくなる。
【００４８】
＜第２実施形態＞
第２実施形態では、第１実施形態と形状が異なるが同一の機能の部位については、第１実施形態の符号に１００を加えた符号を付して図示している。また、第１実施形態と同様な構成の部位については説明を省略する。
【００４９】
第２実施形態に係る片軸受リールは、図６及び図７に示すように、リール本体１０１のフレーム１１０の竿装着部１１２の固定形状が第１実施形態と異なる。また、第２環状突起１１０ｅ及び糸案内面１１０ｆの形状が第１実施形態と異なる。
【００５０】
第２実施形態では、フレーム本体１１３と固定凸部１１４とが一体形成されている。具体的には、固定凸部１１４の外周面１１４ａに複数の雌ねじ部１１８を径方向に沿って放射状に配置している。したがって固定凸部１１４の軸方向の寸法が僅かに大きい。また、複数の固定孔１２０ａが、固定凸部１１４の外周面１１４ａに嵌合する内周面１２０ｂを有する固定部１２０の径方向に沿って形成されている。第２実施形態では、固定部１２０は軸方向の寸法が第１実施形態より僅かに大きいが、径方向の寸法は第１実施形態のものより小さい。第２実施形態では、一例として、固定孔１２０ａの数は３個であり、雌ねじ部１１８の数は１２個である。したがって、第２実施形態では、３本のボルト部材１１６で竿装着部１１２をフレーム１１０に固定している。また、固定位置の数は、第２実施形態では１２個になる。
【００５１】
この場合、雌ねじ部１１８を固定凸部１１４の外周面１１４ａに形成し、固定孔１２０ａの固定部１２０に径方向に沿って配置しているので、固定凸部１１４及び固定部１２０の軸方向の寸法が大きくなる。しかし、それらの径方向の寸法を小さくすることにより、全体の質量の増加を抑えることができる。
【００５２】
第２環状突起１１０ｅは、図８に示すように、フレーム本体１１３の外周部及び外周部により径方向内周側に、内周側の第１環状突起３６ｃを挟んで２つ形成されている。内周側の第２環状突起１１０ｅは外周側の第２環状突起１１０ｅと同じ軸方向位置まで突出している。しかし、突出位置は、内周側の第１環状突起３６ｃと軸方向に重なっていればよく、同じである必要はない。例えば、外周側の第２環状突起１１０ｅより突出していなくてもよい。
【００５３】
また、外周側の第２環状突起１１０ｅに形成された外周面１１０ｇの基端は、外周側の第１環状突起３６ｃの先端部より軸方向内側（図８左方）に位置している。したがって、糸案内面１１０ｆは、第１フランジ部３６ａの先端部より軸方向内側から外側面１１０ｄに向かって徐々に縮径している。糸案内面１１０ｆは、この実施形態では、断面視円弧状の２つの曲面で構成されている。第１曲面１１０ｈは、断面視円弧状のフィレット形状の曲面であり、外周面１１０ｇの基端に連なり、縮径割合が徐々に大きくなっている。第２曲面１１０ｉは、第１曲面１１０ｈに連なり、縮径割合が徐々に小さくなっている。この第２曲面１１０ｉが竿装着部１１２のアーム部２２の内側面１２２ａに接触している。
【００５４】
このように、糸案内面１１０ｆを第１フランジ部３６ａの基端を軸方向内側にすると第１フランジ部３６ａから落ちた釣り糸は必ず糸案内面１１０ｆに接触する。したがって、スプール３内部への糸噛みをさらに防止できる。また、縮径割合が小さくなる第２曲面１１０ｉを糸案内面１１０ｆが有しているので、第１フランジ部３６ａから落ちた釣り糸がさらに減速し、竿装着部１１２のアーム部１２２の内側面１２２ａと糸案内面１１０ｆとの間にさらに噛み込みにくくなる。
【００５５】
＜特徴＞
（Ａ）片軸受リールは、釣り竿に装着であり前方に釣り糸を繰り出し可能なリールである。片軸受リールは、糸巻用のスプール３と、スプール軸２と、リール本体１（１０１）と、を備えている。スプール３は、糸巻用の糸巻胴部３５と、糸巻胴部３５の一端に設けられ糸巻胴部３５より大径の第１フランジ部３６ａと、糸巻胴部３５の他端に設けられ糸巻胴部３５より大径の第２フランジ部３６ｂと、を有している。スプール軸２は、スプール３を回転自在に支持する。リール本体１（１０１）は、第１フランジ部３６ａに対向して配置されスプール軸２を支持する円形のフレーム１０（１１０）と、フレーム１０（１１０）に固定され釣り竿ＲＤを装着可能な竿装着部１２（１１２）と、を有している。フレーム１０（１１０）の外径は、第１フランジ部３６ａの外径より小さい。円形のフレーム１０（１１０）は、外側面１０ｄ（１１０ｄ）と、外周面１０ｇ（１１０ｇ）と、糸案内面１０ｆ（１１０ｆ）と、を有している。外側面１０ｄ（１１０ｄ）は、第１フランジ部３６ａよりスプール軸２の軸方向外側に配置される。外周面１０ｇ（１１０ｇ）は、少なくとも一部が第１フランジ部３６ａより軸方向内側に配置される。糸案内面１０ｆ（１１０ｆ）は、外周面１０ｇ（１１０ｇ）から外側面１０ｄ（１１０ｄ）に向かって徐々に縮径する。
【００５６】
この片軸受リールでは、フレーム１０（１１０）の外径がスプール３の第１フランジ部３６ａより小さい。フレーム１０（１１０）は、第１フランジ部３６ａより軸方向内側に少なくとも一部が配置された外周面１０ｇ（１１０ｇ）と、軸方向外側に配置される外側面１０ｄ（１１０ｄ）と、外周面１０ｇ（１１０ｇ）から外側面１０ｄ（１１０ｄ）に向かって徐々に縮径する糸案内面１０ｆ（１１０ｆ）とを有している。このため、スプール３に巻き付けられた釣り糸が第１フランジ部３６ａから落ちると、フレーム１０（１１０）の外周面１０ｇ又は糸案内面１１０ｆに釣り糸が接触し、さらに糸案内面１０ｆ（１１０ｆ）に接触しながら外側面１０ｄ（１１０ｄ）に案内される。ここでは、第１フランジ部３６ａから釣り糸が落ちても、落ちた釣り糸は、フレーム１０（１１０）の外周面１０ｇ又は糸案内面１１０ｆに接触しさらに糸案内面１０ｆ（１１０ｆ）に接触しながら外側面１０ｄ（１１０ｄ）に案内される。このため、これらの接触により釣り糸は減速されて竿装着部１２（１１２）とフレーム１０（１１０）との間に移動する。したがって、釣り糸が第１フランジ部３６ａから落ちてもフレーム１０（１１０）と竿装着部１２（１１２）との間に噛み込みにくくなる。
【００５７】
（Ｂ）片軸受リールにおいて第１フランジ部３６ａは、少なくとも外周部に軸方向に突出する少なくとも１つの第１環状突起３６ｃを有し、フレーム１０（１１０）は、少なくとも外周面１０ｇ（１１０ｇ）に第１環状突起３６ｃとスプール軸２の軸方向に重なり合うように第１フランジ部３６ａ側に突出して形成される少なくとも１つの第２環状突起１０ｅ（１１０ｅ）を有する。
【００５８】
この場合には、スプール３に巻き付けられる釣り糸が第１フランジ部３６ａから落ちても、第１フランジ部３６ａの第１環状突起３６ｃと軸方向に重なり合うフレーム１０（１１０）の第２環状突起１０ｅ（１１０ｅ）又は糸案内面１０ｆ（１１０ｆ）に接触し、糸案内面１０ｆ（１１０ｆ）から外側面１１ｄ（１１０ｄ）に案内される。このため、第１フランジ部３６ａをフレーム１０（１１０）より大径にしても、釣り糸がフレーム１０（１１０）と第１フランジ部３６ａとの隙間からスプール３内部に侵入する糸噛みが生じにくくなる。しかも、第１フランジ部３６ａ側に突出する第２環状突起１０ｅ（１１０ｅ）が第１環状突起３６ｃに軸方向に重なって配置されているので、第２環状突起１０ｅ（１１０ｅ）又は糸案内面１０ｆ（１１０ｆ）に確実に釣り糸が接触し減速される。このため、フレーム１０（１１０）と竿装着部１２（１１２）との間の噛み込みをさらに減少できる。
【００５９】
（Ｃ）片軸受リールにおいて、第１環状突起３６ｃは、第２環状突起１０ｅ（１１０ｅ）を挟んで第１フランジ部３６ａの径方向に間隔を隔てて２つ設けられている。この場合には、スプール３とフレーム１０（１１０）とで軸方向に重なり合う部分が増えるので、スプール３内部に侵入する糸噛みをさらに防止できる。
【００６０】
（Ｄ）片軸受リールにおいて、第２環状突起１０ｅは、第１フランジ部３６ａより軸方向外側で糸案内面１０ｆに連なっている。この場合には、第２環状突起１０ｅが第１フランジ部３６ａより軸方向外側で糸案内面１０ｆに連なっているので、第１フランジ部３６ａから落ちる釣り糸が第２環状突起１０ｅに落ちる可能性が高くなり、糸案内面１０ｆに案内されるまでに釣り糸が確実に減速される。
【００６１】
（Ｅ）片軸受リールにおいて、第２環状突起１０ｅが形成された外周面１０ｇは、第１環状突起３６ｃの軸方向内側から外側に配置される円周面であり、糸案内面１０ｆは、外周面１０ｇから外側面１０ｄに向かって形成されている。この場合には、円周面で構成された外周面１０ｇの基端が第１フランジ部３６ａより軸方向外方に突出するので、第１フランジ部３６ａから落ちた釣り糸が縮径しない外周面１０ｇに落ちる可能性が高くなり、さらに糸案内面１０ｆに案内されるまでに確実に減速される。
【００６２】
（Ｆ）片軸受リールにおいて竿装着部１２（１１２）は、固定部２０（１２０）と、アーム部２２（１２２）と、装着脚部２４と、を有している。固定部２０（１２０）は、フレーム１０（１１０）に固定される。アーム部２２（１２２）は、固定部２０（１２０）からフレーム１０（１１０）の外方に延びた後に湾曲してスプール３の径方向外方に配置される。装着脚部２４は、アーム部２２（１２２）の先端に前後方向に配置され釣り竿ＲＤに装着可能である。アーム部２２（１２２）の前後方向の長さは、５ｍｍ以上２０ｍｍ以下であり、装着脚部２４は、フレーム１０（１１０）との間に釣り竿ＲＤを持つ手の指を挿入可能に配置される。
【００６３】
この場合には、アーム部２２（１２２）の前後方向の長さ、すなわち幅が狭く、かつフレーム１０（１１０）と装着脚部２４との間に指を挿入可能であるので、スピニングリールのように、アーム部２２（１２２）を、例えば人差し指と中指等の指で挟んで装着脚部２４を釣り竿ＲＤとともに握って片軸受リールを保持することができる。
【００６４】
（Ｇ）片軸受リールにおいて、固定部２０（１２０）は、装着脚部２４とフレーム１０（１１０）との隙間を変更可能にフレーム１０（１１０）に固定される。この場合には、装着脚部２４をフレーム１０（１１０）から離してフレーム１０（１１０）との間に指を挿入して片軸受リールを保持することができるとともに、装着脚部２４をフレーム１０（１１０）に近づけて指によるブレーキ操作を行いやすくすることもできる。
【００６５】
（Ｈ）片軸受リールにおいて、フレーム１０（１１０）は、円形のフレーム本体１３（１１３）と、フレーム本体１３（１１３）の外側面１０ｄ（１１０ｄ）からスプール軸２に対して偏芯した位置８（軸芯Ｃ２）を中心として円形に突出するように設けられた固定凸部１４（１１４）と、を有し、固定部２０（１２０）は、固定凸部１４（１１４）の外周面１４ａ（１１４ａ）に嵌合する内周面２０ｂ（１２０ｂ）を有する。
【００６６】
この場合には、スプール軸２に対して偏芯した固定凸部１４（１１４）の周方向の複数の固定位置のいずれかで固定部２０（１２０）をフレーム１０（１１０）に固定することにより、スプール軸２と竿装着部１２との距離を容易に変更できる。
【００６７】
＜他の実施形態＞  以上、本発明の一実施形態について説明したが、本発明は上記実施形態に限定されるものではなく、発明の要旨を逸脱しない範囲で種々の変更が可能である。
【００６８】
（ａ）前記３つの実施形態では、ドラグ機構を有さない片軸受リールであったが、本発明はこれに限定されず、ドラグ機構を有する片軸受リールにも適用できる。また、第１フランジ部がフレームより大径であったが、フレームより小径の片軸受リークにも適用できる。さらに、ハンドルの回転を変速してスプールに伝達する片軸受リール等のすべての片軸受リールに本発明を適用できる。
【００６９】
（ｂ）実施形態では、２個の第１環状突起３６ｃと、１個又は２個の第２環状突起１０ｅ又は１１０ｅとを例示したが、本発明はこれに限定されない。第１環状突起及び第２環状突起は少なくとも一つあればいくつでもよい。しかし、製造のしやすさからすると、３個までが好ましい。
【００７０】
（ｃ）前記実施形態では、糸案内面１０ｆ（１１０ｆ）を断面視円弧状の曲面又は断面視円弧状の曲面と断面視直線状のテーパ面との組み合わせの形状で構成した。しかし、糸案内面の形状は前記実施形態に限定されず、徐々に縮径する面であれば、どのような形状の面でもよい。
【符号の説明】
【００７１】
１    リール本体
２    スプール軸
３    スプール
１０    フレーム
１０ｄ  外側面
１０ｅ  第２環状突起
１０ｆ  糸案内面
１０ｇ  外周面
１２    竿装着部
１４    固定凸部
１４ａ  外周面
２０    固定部
２０ｂ  内周面
２２    アーム部
２２ａ  内側面
２４    装着脚部
３５    糸巻胴部
３６ａ  第１フランジ部
３６ｂ  第２フランジ部
３６ｃ  第１環状突起
１０１    リール本体
１１０    フレーム
１１０ｄ  外側面
１１０ｅ  第２環状突起
１１０ｆ  糸案内面
１１０ｇ  外周面
１１２    竿装着部
１１４    固定凸部
１１４ａ  外周面
１２０    固定部
１２０ｂ  内周面
１２２    アーム部
１２２ａ  内側面
【図１】
0005590933.tif 000002
【図２】
0005590933.tif 000003
【図３】
0005590933.tif 000004
【図４】
0005590933.tif 000005
【図５】
0005590933.tif 000006
【図６】
0005590933.tif 000007
【図７】
0005590933.tif 000008
【図８】
0005590933.tif 000009